(57)【要約】【課題】面発光装置が備え付けられているバッジ。【解決手段】  衣服その他の生地に取り付けられるバッジであって、電池を収納する電池収納部１４を備える本体部１０と、前記本体部の表面側を覆うように取り付けられ、絵画、写真、図形、記号、文字及びキャラクターから選択される１種以上を含む模様が印刷され、全部又は一部が光を透過するように透明又は半透明である透過部２１を有する被覆部２０と、前記本体部と前記被覆部の間に区画された収納部１０ｓに収納され、前記電池から電力の供給を受けて表面及び側面が発光する平板形状の面発光部３０とを備えることを特徴とする。【選択図】図３
2016123867.tif 000002
【特許請求の範囲】
【請求項１】
衣服その他の生地に取り付けられるバッジであって、
電池を収納する電池収納部を備える本体部と、
前記本体部の表面側を覆うように取り付けられ、絵画、写真、図形、記号、文字及びキャラクターから選択される１種以上を含む模様が形成され、全部又は一部が光を透過するように透明又は半透明である透過部を有する被覆部と、
前記本体部と前記被覆部の間に区画された収納部に収納され、前記電池から電力の供給を受けて表面及び側面が発光する平板形状の面発光部とを備える
ことを特徴とするバッジ。
【請求項２】
請求項１に記載されたバッジであって、
前記面発光部は、
一又は複数のＬＥＤが設置され、前記電池と電気的に接続された基板と、
前記ＬＥＤから発光された可視光及び／又は不可視光を側面から入射し、前記被覆部側に面状に照射する導光シートとからなる
ことを特徴とするバッジ。
【請求項３】
請求項１に記載されたバッジであって、
前記面発光部は、
一又は複数ののＬＥＤが設置され、前記電池と電気的に接続された基板と、
前記ＬＥＤから発光された可視光及び／又は不可視光を裏面から入射し、前記被覆部側に面状に照射する導光シートとからなる
前記被覆部と前記基板との間に設置され、前記ＬＥＤから発光された可視光及び／又は不可視光を遮る遮光部が形成された遮光シートとからなる
ことを特徴とするバッジ。
【請求項４】
請求項３に記載されたバッジであって、
前記遮光部は、前記ＬＥＤが設置された位置に合わせて形成され、前記ＬＥＤから離れるに従い次第に可視光及び／又は不可視光を遮る面積が狭く形成されている
ことを特徴とするバッジ。
【請求項５】
請求項２から４のいずれか１項に記載されたバッジであって、
前記導光シートの裏面側には、前記ＬＥＤから受けた光を反射する複数のドットが取り付けられている
ことを特徴とするバッジ。
【請求項６】
請求項５に記載されたバッジであって、
前記ドットは、前記導光シートに蛍光インキ、発光インキ及び蓄光インキから選択されるいずれか１のインキが印刷されて取り付けられている
ことを特徴とするバッジ。
【請求項７】
請求項６に記載されたバッジであって、
前記ドットは、前記蛍光インキ、前記発光インキ及び前記蓄光インキから選択されるいずれか１の前記インキで形成された接続部で繋げられている
ことを特徴とするバッジ。
【請求項８】
請求項７に記載されたバッジであって、
前記模様は、全部又は一部が前記不可視光を照射すると発光する不可視光インキで印刷されている
ことを特徴とするバッジ。
【請求項９】
請求項８に記載されたバッジであって、
前記導光シートの裏面側には、前記導光シートの裏面から漏れる光を前記導光シート側に反射する反射シートが設置されている
ことを特徴とするバッジ。
【請求項１０】
請求項９に記載されたバッジであって、
前記導光シートと前記被覆部との間には、前記導光シートから照射される光を集光する一又は複数の集光シートが設置されている
ことを特徴とするバッジ。
【請求項１１】
請求項１０に記載されたバッジであって、
前記導光シートと前記集光シートとの間に、前記導光シートから照射される光を拡散させて、光の均一性を向上させる拡散シートが設置されている
ことを特徴とするバッジ。
【請求項１２】
請求項１１に記載されたバッジであって、
前記被覆部の全部又は一部を覆い、全部又は一部が光を透過するように透明又は半透明であり、表面に凹凸が形成されている光拡散部が設置されている
ことを特徴とするバッジ。
【請求項１３】
請求項２〜１１のいずれか１項に記載されたバッジであって、
前記ＬＥＤの発光の状態を制御する一又は複数の発光パターンを記憶する記憶部と、
前記記憶部から前記発光パターンを読み出し、前記ＬＥＤに対して読み出した前記発光パターンに対応する発光指示を行なう制御部とを備える
ことを特徴とするバッジ。
【請求項１４】
請求項２〜１１のいずれか１項に記載されたバッジであって、
ＧＰＳ衛星から送信されてくる位置情報を受信するＧＰＳ受信部と、
前記ＬＥＤの発光の状態を制御する一又は複数の発光パターンを、前記位置情報に対応して記憶する記憶部と、
前記記憶部から前記位置情報に対応する前記発光パターンを読み出し、前記ＬＥＤに対して読み出した前記発光パターンに対応する発光指示を行なう制御部とを備える
ことを特徴とするバッジ。
【請求項１５】
請求項２〜１１のいずれか１項に記載されたバッジであって、
電波送信装置から送信されてくる識別情報を受信する電波受信部と、
前記ＬＥＤの発光の状態を制御する一又は複数の発光パターンを、前記識別情報に対応して記憶する記憶部と、
前記記憶部から前記識別情報に対応する前記発光パターンを読み出し、前記ＬＥＤに対して読み出した前記発光パターンに対応する発光指示を行なう制御部とを備える
ことを特徴とするバッジ。
【請求項１６】
請求項２〜１１のいずれか１項に記載されたバッジであって、
発せられた音声から音声情報を受信する音声受信部と、
前記ＬＥＤの発光の状態を制御する一又は複数の発光パターンを、前記音声情報に対応して記憶する記憶部と、
前記記憶部から前記音声情報に対応する前記発光パターンを読み出し、前記ＬＥＤに対して読み出した前記発光パターンに対応する発光指示を行なう制御部とを備える
ことを特徴とするバッジ。
【請求項１７】
請求項２〜１１のいずれか１項に記載されたバッジであって、
外部に設けられた送電アンテナから送電される電力を接触又は非接触で受電するとともに、識別情報を受信する非接触受信部と、
前記ＬＥＤの発光の状態を制御する一又は複数の発光パターンを、前記識別情報に対応して記憶する記憶部と、
前記記憶部から前記識別情報に対応する前記発光パターンを読み出し、前記ＬＥＤに対して読み出した前記発光パターンに対応する発光指示を行なう制御部とを備える
ことを特徴とするバッジ。
【請求項１８】
請求項１３〜１７のいずれか１項に記載されたバッジであって、
前記発光パターンは、前記ＬＥＤの点灯、前記ＬＥＤの消灯、前記ＬＥＤの点滅、前記ＬＥＤの発光色の変更及び前記ＬＥＤの輝度の変更から選択される少なくとも一つである
ことを特徴とするバッジ。
【請求項１９】
請求項１３〜１７のいずれか１項に記載されたバッジであって、
音声を出すスピーカ部を備え、
前記記憶部は、前記スピーカ部の出すの音声を制御する一又は複数の音声パターンを記憶し、
前記制御部は、前記記憶部から前記音声パターンを読み出し、前記スピーカ部に対して読み出した前記音声パターンに対応する音声を出す指示を行なう
ことを特徴とするバッジ。
【請求項２０】
請求項１〜１９のいずれか１項に記載されたバッジであって、
前記模様は、前記被覆部の表面にスクリーン印刷、フレキソ印刷、インクジェット印刷、グラビア印刷、オフセット印刷から選択されるいずれか１の印刷方法で印刷されて形成されている
ことを特徴とするバッジ。
【請求項２１】
請求項１〜１９のいずれか１項に記載されたバッジであって、
前記模様は、前記被覆部に着脱自在であり、全部又は一部が光を透過するように透明又は半透明であるシール、ステッカー、ラベル、及びデカールから選択されるいずれか１に印刷されている
ことを特徴とするバッジ。
【請求項２２】
請求項１〜１９のいずれか１項に記載されたバッジであって、
前記模様は、前記被覆部を彫り刻んで形成されている
ことを特徴とするバッジ。
【請求項２３】
請求項１〜２１のいずれか１項に記載の前記バッジを使用した缶バッジであって、
前記バッジを一方の側から覆い、絵画、写真、図形、記号、文字及びキャラクターから選択される１種以上を含む模様が印刷された金属製の表面鋼板と、
前記表面鋼板に取り付けられ、前記バッジを他方の側から覆う金属製の裏面鋼板とからなり、
前記表面鋼板は、前記被覆部を露出するように切り欠かれた開口が形成されている
ことを特徴とする缶バッジ。
【発明の詳細な説明】
【技術分野】
【０００１】
本発明は、バッジに関する。さらに詳しくは、面発光部が備え付けられているバッジに関する。
【背景技術】
【０００２】
バッジは、付けている者の「所属」、「資格」、「職位」、「階級」、「経歴」、「功績」等を図式化したデザインで現わす徽章・記章である。バッジは、主に衣服の襟部分や胸部分等に付ける飾りとして用いられる。また、金属製の中が空洞になっているものは缶バッジと呼ばれ、老若男女を問わず収集、鑑賞の対象にもなっている。缶バッジには、絵画、写真、図形、記号、文字及びキャラクターその他の模様が記載又は現わされている。
【０００３】
例えば、缶バッジには、アニメや漫画のキャラクターが記載されているものや、プロスポーツ選手、タレント、アイドル、女優又は男優等の写真が現わされているものがある。様々な模様等が記載又は現わされている缶バッジは、衣服に限らずかばん、帽子等にも付けられ、ファッションアイテムとしても利用されている。このようにファッションアイテムとしても利用できるバッジは、収集の対象ともされており、購入者の購買意欲の促進に繋がっている。
【０００４】
近年、さらなる価値感をバッジに持たせるために、バッジ自体が発光するものが提案され、目立つことを好む人には好評である。このようなバッジは、その内部に単体の電球や発光ダイオード（以下、単に「ＬＥＤ」という。）が設けられてキラキラ発光するものである。このように、バッジには様々な提案がなされているが、特許文献を基に従来の技術を説明する。
【０００５】
例えば、バッジに発光体を点滅又は点灯させる電子回路を組み込み、スイッチを閉じることで発光体が光ることでバッジ自体を際立たせ、キャラクターにアクセントや変化を与えたり、商品の宣伝効果の向上を図ることができるバッジの技術が知られている（特許文献１参照）。また、発光素子を搭載するプリント基板上に図柄付きのフィルム層と透明なエナメル層を積層することによって、十分な耐久性を有し、全体体裁を一層向上させることができるバッジの技術が知られている（特許文献２参照）。
【先行技術文献】
【特許文献】
【０００６】
【特許文献１】特開２００１−７００１４号公報
【特許文献２】実用新案登録第３１２２０６３号公報
【発明の概要】
【発明が解決しようとする課題】
【０００７】
しかし、特許文献１に記載されたバッジは、点光源である発光ダイオードが光源であるため、発光が単調で面白みに欠けるという問題点があった。特許文献２に記載されたバッジは、発光ダイオードが搭載されたプリント基板に、クリアインキによる印刷を施すことによりフィルム層を形成する。さらに、フィルム層にエポキシ樹脂を所定厚さに塗布して、焼付処理でエナメル層を形成する。このように、特許文献２に記載されたバッジは、製造過程が複雑で手間がかかるという問題点があった。
【０００８】
本発明は、以上のような従来の問題点を解決するために創作されたもので、次の目的を達成する。本発明の目的は、意匠性に優れた様々な視覚的表現が面発光するバッジを提供することにある。本発明の他の目的は、構造が簡単で製造工程が少なく、簡便かつ短時間で製造できるバッジを提供することにある。
【課題を解決するための手段】
【０００９】
本発明は、前記目的を達成するために次の手段をとる。
本発明１のバッジは、衣服その他の生地に取り付けられるバッジであって、電池を収納する電池収納部を備える本体部と、前記本体部の表面側を覆うように取り付けられ、絵画、写真、図形、記号、文字及びキャラクターから選択される１種以上を含む模様が印刷され、全部又は一部が光を透過するように透明又は半透明である透過部を有する被覆部と、前記本体部と前記被覆部の間に区画された収納部に収納され、前記電池から電力の供給を受けて表面及び側面が発光する平板形状の面発光部とを備えることを特徴とする。
【００１０】
本発明２のバッジは、本発明１において、前記面発光部は、一又は複数のＬＥＤが設置され、前記電池と電気的に接続された基板と、前記ＬＥＤから発光された可視光及び／又は不可視光を側面から入射し、前記被覆部側に面状に照射する導光シートとからなることを特徴とする。
【００１１】
本発明３のバッジは、本発明１において、前記面発光部は、一又は複数ののＬＥＤが設置され、前記電池と電気的に接続された基板と、前記ＬＥＤから発光された可視光及び／又は不可視光を裏面から入射し、前記被覆部側に面状に照射する導光シートとからなる前記被覆部と前記基板との間に設置され、前記ＬＥＤから発光された可視光及び／又は不可視光を遮る遮光部が形成された遮光シートとからなることを特徴とする。
【００１２】
本発明４のバッジは、本発明３において、前記遮光部は、前記ＬＥＤが設置された位置に合わせて形成され、前記ＬＥＤから離れるに従い次第に可視光及び／又は不可視光を遮る面積が狭く形成されているを特徴とする。
【００１３】
本発明５のバッジは、本発明２から４のいずれかにおいて、前記導光シートの裏面側には、前記ＬＥＤから受けた光を反射する複数のドットが取り付けられていることを特徴とする。
【００１４】
本発明６のバッジは、本発明５において、前記ドットは、前記導光シートに蛍光インキ、発光インキ及び蓄光インキから選択されるいずれか１のインキが印刷されて取り付けられていることを特徴とする。
【００１５】
本発明７のバッジは、本発明６において、前記ドットは、前記蛍光インキ、前記発光インキ及び前記蓄光インキから選択されるいずれか１の前記インキで形成された接続部で繋げられていることを特徴とする。
【００１６】
本発明８のバッジは、本発明７において、前記模様は、全部又は一部が前記不可視光を照射すると発光する不可視光インキで印刷されていることを特徴とする。
【００１７】
本発明９のバッジは、本発明８において、前記導光シートの裏面側には、前記導光シートの裏面から漏れる光を前記導光シート側に反射する反射シートが設置されていることを特徴とする。
【００１８】
本発明１０のバッジは、本発明の９において、前記導光シートと前記被覆部との間には、前記導光シートから照射される光を集光する一又は複数の集光シートが設置されていることを特徴とする。
【００１９】
本発明１１のバッジは、本発明１０について、前記導光シートと前記集光シートとの間に、前記導光シートから照射される光を拡散させて、光の均一性を向上させる拡散シートが設置されていることを特徴とする。
【００２０】
本発明１２のバッジは、本発明１１について、前記被覆部の全部又は一部を覆い、全部又は一部が光を透過するように透明又は半透明であり、表面に凹凸が形成されている光拡散部が設置されていることを特徴とする。
【００２１】
本発明１３のバッジは、本発明２〜１１のいずれかであって、前記ＬＥＤの発光の状態を制御する一又は複数の発光パターンを記憶する記憶部と、前記記憶部から前記発光パターンを読み出し、前記ＬＥＤに対して読み出した前記発光パターンに対応する発光指示を行なう制御部とを備えることを特徴とする。
【００２２】
本発明１４のバッジは、本発明２〜１１のいずれかであって、ＧＰＳ衛星から送信されてくる位置情報を受信するＧＰＳ受信部と、前記ＬＥＤの発光の状態を制御する一又は複数の発光パターンを、前記位置情報に対応して記憶する記憶部と、前記記憶部から前記位置情報に対応する前記発光パターンを読み出し、前記ＬＥＤに対して読み出した前記発光パターンに対応する発光指示を行なう制御部とを備えることを特徴とする。
【００２３】
本発明１５のバッジは、本発明２〜１１のいずれかであって、電波送信装置から送信されてくる識別情報を受信する電波受信部と、前記ＬＥＤの発光の状態を制御する一又は複数の発光パターンを、前記識別情報に対応して記憶する記憶部と、前記記憶部から前記識別情報に対応する前記発光パターンを読み出し、前記ＬＥＤに対して読み出した前記発光パターンに対応する発光指示を行なう制御部とを備えることを特徴とする。
【００２４】
本発明１６のバッジは、本発明２〜１１のいずれかであって、発せられた音声から音声情報を受信する音声受信部と、前記ＬＥＤの発光の状態を制御する一又は複数の発光パターンを、前記音声情報に対応して記憶する記憶部と、前記記憶部から前記音声情報に対応する前記発光パターンを読み出し、前記ＬＥＤに対して読み出した前記発光パターンに対応する発光指示をことを特徴とする。
【００２５】
本発明１７のバッジは、本発明２〜１１のいずれかであって、外部に設けられた送電アンテナから送電される電力を接触又は非接触で受電するとともに、識別情報を受信する非接触受信部と、前記ＬＥＤの発光の状態を制御する一又は複数の発光パターンを、前記識別情報に対応して記憶する記憶部と、前記記憶部から前記識別情報に対応する前記発光パターンを読み出し、前記ＬＥＤに対して読み出した前記発光パターンに対応する発光指示を行なう制御部とを備えることを特徴とする。
【００２６】
本発明１８のバッジは、本発明１３〜１７のいずれかであって、前記発光パターンは、前記ＬＥＤの点灯、前記ＬＥＤの消灯、前記ＬＥＤの点滅、前記ＬＥＤの発光色の変更及び前記ＬＥＤの輝度の変更から選択される少なくとも一つであることを特徴とする。
【００２７】
本発明１９のバッジは、本発明１３〜１７のいずれかであって、音声を出すスピーカ部を備え、前記記憶部は、前記スピーカ部の出すの音声を制御する一又は複数の音声パターンを記憶し、前記制御部は、前記記憶部から前記音声パターンを読み出し、前記スピーカ部に対して読み出した前記音声パターンに対応する音声を出す指示を行なうことを特徴とする。
【００２８】
本発明２０のバッジは、本発明１〜１９のいずれかであって、前記模様は、前記被覆部の表面にスクリーン印刷、フレキソ印刷、インクジェット印刷、グラビア印刷、オフセット印刷から選択されるいずれか１の印刷方法で印刷されて形成されていることを特徴とする。
【００２９】
本発明２１のバッジは、本発明１〜１９のいずれかであって、前記模様は、前記被覆部に着脱自在であり、全部又は一部が光を透過するように透明又は半透明であるシール、ステッカー、ラベル、及びデカールから選択されるいずれか１に印刷されていることを特徴とする。
【００３０】
本発明２２のバッジは、本発明１〜１９のいずれかであって、前記模様は、前記被覆部を彫り刻んで形成されていることを特徴とする。
【００３１】
本発明２３のバッジは、本発明１から２２のいずれかの前記バッジを使用した缶バッジであって、前記バッジを一方の側から覆い、絵画、写真、図形、記号、文字及びキャラクターから選択される１種以上を含む模様が印刷された金属製の表面鋼板と、前記表面鋼板に取り付けられ、前記バッジを他方の側から覆う金属製の裏面鋼板とからなり、前記表面鋼板は、前記被覆部を露出するように切り欠かれた開口が形成されていることを特徴とする。
【発明の効果】
【００３２】
本発明のバッジは、意匠性に優れた様々な視覚的表現が面発光する。また、本発明のバッジは、構造が簡単で製造工程が少なく、簡便かつ短時間で製造が可能になった。
【図面の簡単な説明】
【００３３】
【図１】図１は、本発明の実施の形態１を適用したバッジ１の平面図である。
【図２】図２は、本発明のバッジ１の底面図である。
【図３】図３は、図１をα−α線で切断した状態を示す断面図である。
【図４】図４は、面発光部３０の平面図である。
【図５】図５は、図４をβ−β線で切断した状態を示す断面図である。
【図６】図６は、導光シート３３に形成されたドットパターンの状態を示す底面図である。
【００３４】
【図７】図７は、バッジ１が発光する状態を示す図である。
【図８】図８は、本発明の実施の形態２のバッジ１０１の断面図である。
【図９】図９は、本発明の実施の形態３のバッジ２０１の断面図である。
【図１０】図１０は、本発明の実施の形態４のバッジ３０１の断面図である。
【図１１】図１１は、バッジ３０１の使用状態を示す図である。
【図１２】図１２は、本発明の実施の形態５を適用した缶バッジ４０１の平面図である。
【００３５】
【図１３】図１３は、図１２をγ−γ線で切断した状態を示す断面図である。
【図１４】図１４は、バッジ５０１とロッド５０２の使用状態を示す図である。
【図１５】図１５は、バッジ５０１とロッド５０２のハードウェア群を示すブロック図である。
【図１６】図１６は、バッジ６０１と聖火６０２の使用状態を示す図である。
【図１７】図１７は、バッジ７０１の使用状態を示す図である。
【００３６】
【図１８】図１８は、バッジ７０１のハードウェア群を示すブロック図である。
【図１９】図１９は、バッジ８０１とロッド８０２の使用状態を示す図である。
【図２０】図２０は、バッジ８０１とロッド８０２のハードウェア群を示すブロック図である。
【図２１】図２１は、本発明の実施の形態９のバッジ９０１を分解した状態を示す外観図である。
【発明を実施するための形態】
【００３７】
〔本発明の実施の形態１〕
以下、本発明のバッジ１について、図面に基づいて、本発明の実施の形態１として詳細に説明する。図１は、本発明の実施の形態１を適用したバッジ１の平面図である。図２は、本発明のバッジ１の底面図である。図３は、図１をα−α線で切断した状態を示す断面図である。図４は、面発光部３０の平面図である。図５は、図４をβ−β線で切断した状態を示す断面図である。図６は、導光シート３３に形成されたドットパターンの状態を示す底面図である。なお、図５及び６は、ドットパターン状態がわかるように、その部分を拡大して記載している。
【００３８】
図１に示すように、矢印Ｕ方向を上方向とし、その逆方向である矢印Ｄ方向を下方向として説明を行う。水平面内で上下方向と直交する一の方向である矢印Ｌ方向を左方向とし、直交する他の方向である矢印Ｒ方向を右方向として説明を行う。図３に示すように、上下方向及び左右方向と直交する上側の方向である矢印Ｆ方向を前方向とし、下側の方向である矢印Ｂ方向を後方向として説明を行う。各シートの前方向（矢印Ｆ方向）側の面を表面として、その逆方向である下方向（矢印Ｂ方向）側の面を裏面として説明する。
【００３９】
図１に示すように、バッジ１は、衣服の襟部分や胸部分に付ける飾りである。本例では、バッジ１は、直径が約５５．０ｍｍの円形であり、肉厚が約１３．０ｍｍに形成された、所定の厚みをもつ略円形形状に形成されている。図３に示すように、バッジ１は、本体部１０、被覆部２０、面発光部３０、記憶部４０、制御部５０及び電池残量検出部６０とから構成されている。
【００４０】
〔本体部１０〕
本体部１０は、他の構成部品をまとめる基礎となる部材である。図３に示すように、本体部１０は、ＡＢＳ樹脂を射出成形して形成されており、一体に構成された台部１１、平板部１２及び縁部１３からなる。台部１１は、直径４０．０ｍｍ、高さ４．０ｍｍの円柱形状に形成されており、その裏面にボタン電池ＢＢを収納すための電池収納部１４が形成されている。図２に示すように、台部１１の裏面には、衣服にバッジ１を取り付けるための取付部材１５が取り付けられている。
【００４１】
平板部１２は、直径約５５．０ｍｍ、高さ２．０ｍｍの円形形状の平板であり、台部１１の上方向側に形成されている。図３に示すように、平板部１２は、台部１１と中心線が同一の同心円状に形成されており、その直径が台部１１の直径より大きく形成されている。図２に示すように、平板部１２には、面発光部３０に対して、電力の供給と遮断を切り換えるためのスイッチ１６が取り付けられている。図１及び図３に示すように、縁部１３は、外径約５５．０ｍｍ、内径５３．０ｍｍ、高さ２．０ｍｍの環状であり、平板部１２の上方向側に形成されている。
【００４２】
図３に示すように、縁部１３の外径は、平板部１２の外径と同一であり、縁部１３は平板部１２の縁を縁取るように形成されている。縁部１３の内径は、被覆部２０をはめ込めるように、被覆部２０の外径と同一又は略同一になるように形成されている。本体部１０は、縁部１３の内側に被覆部２０をはめ込むことで、面発光部３０、記憶部４０、制御部５０及び電池残量検出部６０を収納できる収納部１０ｓが区画される。なお、本体部１０は、ＡＢＳ樹脂に限らず、ポリプロピレン、塩化ビニル等の他の合成樹脂で形成されていても良い。
【００４３】
〔被覆部２０〕
被覆部２０は、バッジ１の模様が施された部材である。図３に示すように、被覆部２０は、塩化ビニル樹脂を射出成形して形成されており、一体に構成された表面部２１及び側面部２２からなる。表面部２１は、直径５３．０ｍｍの円形形状の薄い平板であり、表面に絵画、写真、図形、記号、文字及びキャラクターその他の模様が印刷されている。模様は、例えば、スクリーン印刷、フレキソ印刷、インクジェット印刷、グラビア印刷、オフセット印刷から選択されるいずれかの方法で印刷されている。
【００４４】
被覆部２０は、図１に示すように、模様が記載されており、その模様に応じて、透過部２３と非透過部２４とが形成されている。透過部２３は、発光した面発光部３０からの光を透過する透明又は半透明の部位である。非透過部２４は、発光した面発光部３０からの光が透過しない部位である。本例においては、図１に示すように、被覆部２０には、猫のキャラクターと文字の模様が記載されており、猫の目と文字の部分が透過部２３とされており、他の部分が非透過部２４とされている。
【００４５】
図３に示すように、側面部２２は、直径５３．０ｍｍ、高さ５．０ｍｍの円筒形状であり、表面部２１の外径より一の方向（本例では下方向（矢印Ｂ方向））側に突出するように形成されている。図２に示すように、被覆部２０は、平面からみると円形形状であり、図３に示すように、断面から見ると下方向側が開口する略コ字形状に形成されている。被覆部２０の外径は、縁部１３にはめ込めるように、縁部１３の内径と同一又は略同一になるように形成されている。なお、被覆部２０は、塩化ビニル樹脂に限らず、ポリプロピレン、ＡＢＳ等の他の合成樹脂で形成されていても良い。
【００４６】
〔面発光部３０〕
面発光部３０は、光源であるＬＥＤ３１から発光された光を被覆部２０に効率よく照射するための装置である。面発光部３０は、図３に示すように、収納部１０ｓに収納されている。図４及び５に示すように、面発光部３０は、いわゆるエッジライト方式の発光装置であり、ＬＥＤ３１、基板３２、導光シート３３、反射シート３４とから構成されている。面発光部３０は、図５に示すように、上から導光シート３３、反射シート３４の順番に積層されている。
【００４７】
本例の面発光部３０は、表面側は発光するが、裏面側は発光しない片面発光型である。ＬＥＤ３１は、面発光部３０の光源であり、図４に示すように、板状に形成された基板３２に１つ取り付けられている。本例のＬＥＤ３１は、赤、緑、青の３色の発光素子から構成されており、１つで複数の色に発光できる一灯多色タイプのものである。ＬＥＤ３１は、電力供給量、電力供給間隔又は電力供給時間等を変化させることにより、点灯、消灯、点滅又は調光をすることができる。
【００４８】
また、ＬＥＤ３１は、発光させる発光素子を変化させることにより、発光する光の色を変化させる調色をすることできる。基板３２は、図５に示すように、反射シート３４の側面に沿うように取り付けられている。ＬＥＤ３１は、導光シート３３の側面と向かいあうように基板３２に取り付けられている。基板３２は、電源線等で電池収納部１４に収納されたボタン電池ＢＢにスイッチ１６を介して接続されている（図示せず）。
【００４９】
図３に示すように、導光シート３３は、その側面に設置されたＬＥＤ３１から発光された光を被覆部２０側へ照射するためのシートである。導光シート３３は、側面から発光された光を均一に行き渡らせ、面発光部３０を平面光源化するシートである。本例において、導光シート３３は、光を透過する透明なアクリル樹脂の平板であり、直径が４５．０ｍｍの円形形状に形成されている。導光シート３３の裏面には、導光シート３３を平面光源化するためのドットパターンが形成されている。ドットパターンは、ＬＥＤ３１から照射された光を被覆部２０側に反射して、導光シート３３を平面光源化するパターンである。
【００５０】
図５及び６に示すように、本例において、ドットパターンは、複数のドット３５と複数の接続部３６とから構成されている。ドット３５及び接続部３６は、シルク印刷により蛍光インキが印刷されて形成されている。ドット３５は、導光シート３３の裏面から下方向側に突出するように形成された微細な半円球形状のレンズ型に形成されている。接続部３６は、一のドット３５と他のドット３５とを繋ぐ部材である。本例においては、１つのドット３５を中心として、その上下左右に４つのドット３５が接続部３６に繋がれている。
【００５１】
反射シート３４は、導光シート３３の裏面から外部に漏れる光を反射して、再び導光シート３３に戻すためのシートである。反射シート３４は、直径が４５．０ｍｍの円形形状のアルミニウム板又は箔から形成されている。反射シート３４は、図５に示すように、その直径が導光シート３３と同一であり、導光シート３３の裏面全体を覆うように設置されている。反射シート３４は、光を反射するのであればアルミニウムではなく、ポリエステルフィルム等の他の部材であっても良い。
【００５２】
〔記憶部４０〕
記憶部４０は、ＬＥＤ３１の発光の状態を制御する一又は複数の発光パターンを記憶する装置である。記憶部４０は、図３に示すように、収納部１０ｓに収納されている。本例において、記憶部４０は、フラッシュメモリ等の半導体不揮発性メモリで構成されている。発光パターンには、ＬＥＤ３１の点灯、消灯、点滅、発光色の変更及び輝度の変更等のパターンがある。発光パターンには、例えば、通常パターン、警告パターン及び緊急パターンがある。
【００５３】
通常パターンは、電池残量が７０％以上１００％以下の状態を示すため、ＬＥＤ３１を白色に点灯させるパターンである。また、警告パターンは、電池残量が２０％以上６９％以下の状態を示すため、ＬＥＤ３１を青色に５秒間隔で点滅させるパターンである。さらに、警告パターンは、電池材料が１％以上１９％以下の状態を示すため、ＬＥＤ３１を赤色に１秒間隔で点滅させるパターンである。
【００５４】
〔制御部５０〕
制御部５０は、ＬＥＤ３１の発光パターンの制御を行なうものであり、例えばＣＰＵ（Ｃｅｎｔｒａｌ  Ｐｒｏｃｅｓｓｉｎｇ  Ｕｎｉｔ）がこれに該当する。制御部５０は、図３に示すように、収納部１０ｓに収納されている。制御部５０は、記憶部４０より発光パターンを読み出して、ＬＥＤ３１に対して電力供給量、電力供給間隔、電力供給時間を変える。
【００５５】
制御部５０は、読み出された発光パターンに応じて、ＬＥＤ３１の点灯、消灯、点滅又は調光を制御する。制御部５０は、記憶部４０より発光パターンを読み出して、ＬＥＤ３１に対して発光させる発光素子を変える。制御部５０は、読み出された発光パターンに応じて、ＬＥＤ３１の発光色を制御する。制御部５０は、読み出された発光パターンに応じて、ＬＥＤ３１の輝度を制御する。
【００５６】
〔電池残量検出部６０〕
電池残量検出部６０は、ボタン電池ＢＢの電池残量の情報を取得する装置である。本例において、電池残量検出部６０は、例えば、外付けの抵抗に流れる電流と電池電圧を基準に電池残量を算出するものを使用している。なお、電池残量検出部６０は、外付けの抵抗は使用せずに、電池の温度、電池電圧、個々の電池の特性を基準に、電池残量を算出するものでも良い。
【００５７】
〔実施の形態１のバッジ１の使用方法〕
次に、バッジ１の使用方法について図８に基づいて説明する。バッジ１のスイッチ１６をＯＦＦからＯＮにすると、制御部５０は、電池残量検出部６０からボタン電池ＢＢの電池残量の情報を取得する。次に、制御部５０は、ボタン電池ＢＢの電池残量が所定値以上であるか否かを判別し、記憶部４０から発光パターンを読み出す。
【００５８】
例えば、電池残量が７０％以上１００％以下の場合は、制御部５０は、記憶部４０から通常パターンを読み出す。また、電池残量が２０％以上６９％以下の場合は、制御部５０は、記憶部４０から警告パターンを読み出す。さらに、電池残量が１％以上１９％以下の場合は、制御部５０は、記憶部４０から緊急パターンを読み出す。制御部５０は、記憶部４０から読み出された発光パターンに応じて、ＬＥＤ３１を発光させる。
【００５９】
制御部５０は、通常パターンが読み出されているときは、ＬＥＤ３１に電力を安定した状態で供給しつつ、ＬＥＤ３１の赤、緑、青の発光素子を発光させる。このため、ＬＥＤ３１は、白色に点灯した状態になる。制御部５０は、警告パターンが読み出されているときは、ＬＥＤ３１に電力を５秒間隔で供給しつつ、ＬＥＤ３１の青の発光素子のみを発光させる。このため、ＬＥＤ３１は、青色に５秒間隔で点滅した状態になる。
【００６０】
制御部５０は、緊急パターンが読み出されているときは、ＬＥＤ３１に電力を１秒間隔で供給しつつ、ＬＥＤ３１の赤の発光素子のみを発光させる。このため、ＬＥＤ３１は、赤色に１秒間隔で点滅した状態になる。制御部５０は、記憶部４０から発光パターンに応じて、ＬＥＤ３１の発光を変えることができる。ＬＥＤ３１が発光すると、その光は、導光シート３３の側面に照射される。
【００６１】
導光シート３３の側面から入射したＬＥＤ３１の光は、導光シート３３の内部で表面側と裏面側に向かう。導光シート３３の裏面側に照射された光は、ドット３５で反射されて、導光シート３３の表面側に向かう。また、ドット３５をすり抜けて導光シート３３より漏れた光は、反射シート３４で反射されて、導光シート３３の表面側に向かう。ドット３５は、蛍光インキが印刷されているため、光の反射効率が良い。ドット３５は、接続部３６でつなげられているため、光の反射効率が良い。
【００６２】
このように、ＬＥＤ３１の光は、導光シート３３の内部で反射を繰り返し、導光シート３３の表面が全面にわたって発光する。導光シート３３の表面から発光される光は、様々な方向を向いた状態で被覆部２０に照射される。被覆部２０に照射された光は、非透過部２４で遮断され、透過部２３を通過する。このため、バッジ１は、図７に示すように、猫の目と文字である透過部２３の部分が発光する。
【００６３】
制御部５０は、通常パターンが読み出されているときは、ＬＥＤ３１を白色に点灯する。このため、面発光部３０は、白色に面発光し、猫の目と文字の透過部２３が白色に面発光する。また、警告パターンが読み出されているときは、ＬＥＤ３１を青色に５秒間隔で点滅する。このため、面発光部３０は、青色に５秒間隔で面発光し、猫の目と文字の透過部２３が青色に５秒間隔で面発光する。
【００６４】
さらに、緊急パターンが読み出されているときは、ＬＥＤ３１を赤色に１秒間隔で点滅する。このため、面発光部３０は、赤色に１秒間隔で面発光し、猫の目と文字の透過部２３が赤色に１秒間隔で面発光する。このように構成されたバッジ１は、面発光部３０が面発光することによって、点光源とは異なる視覚的な演出効果が生じる。本例において、バッジ１は、電池の残量に応じて発光パターンを変えている。しかし、これに限らず、他の状況に応じて発光パターンを変えても良い。例えば、時間や温度に応じて発光パターンを変えても良いし、別途設けられた切り替えボタンに応じて発光パターンを変えても良い。
【００６５】
〔本発明の実施の形態２〕
次に、本発明の実施の形態２を図面に基づいて詳細に説明する。なお、この実施の形態２のバッジ１０１は、前述した実施の形態１のバッジ１とほぼ同様の構成である。このため、面発光部１３０に追加された拡散シート１３５と集光シート１３６についてのみ説明をする。図８は、本発明の実施の形態２のバッジ１０１の断面図である。面発光部１３０は、図８に示すように、上から集光シート１３６、拡散シート１３５、導光シート１３３、反射シート１３４の順番に積層されている。
【００６６】
〔拡散シート１３５〕
拡散シート１３５は、導光シート１３３から照射される光の均一性を向上させるためのシートである。拡散シート１３５は、導光シート１３３と集光シート１３６との間に取り付けられている。拡散シート１３５は、導光シート１３３と同一の寸法で形成されており、直径が４５．０ｍｍの円形形状に形成されている。拡散シート１３５は、拡散コーティングされた半透明のポリエステルフィルム等から形成されている。
【００６７】
〔集光シート１３６〕
集光シート１３６は、拡散シート１３５から照射される光を一の方向に集めて、被覆部２０に光を効率よく照射するための透明なシートである。集光シート１３６は、拡散シート１３５の表面全体を覆うように設置されている。集光シート１３６は、導光シート１３３と同一の寸法で形成されており、直径が４５．０ｍｍの円形形状に形成されている。
【００６８】
集光シート１３６は、微細な三角柱が並列するように形成されているアクリル樹脂製のプリズムシート等から構成されている（図示せず）。このような集光シート１３６は、２枚のプリズムシートの三角柱が交差するように重ねたものでも良い。なお、集光シート１３６は、微細な三角柱が並列されたものに限らず、微細な楕円柱が並列されているもの等でも良い。
【００６９】
面発光部１３０は、拡散シート１３５が取り付けられているため、面発光部３０と比較して、端部まで均一に明るさが保たれる。つまり、導光シート１３３から拡散シート１３５に光が照射されると、照射された光は四方八方へ拡散され、均一な光を集光シート１３６に照射する。集光シート１３６に入射した光は、集光シート１３６に対して上方向（Ｆ方向）に向かうように集光されて、被覆部２０を照射する。このため、バッジ１０１は、バッジ１と比較して、均一な光が集光されて面発光する。
【００７０】
なお、拡散シート１３５は、照射された光を拡散すれば良く、拡散コーティングされたものに限らない。例えば、拡散シート１３５は、表面又は裏面に細かい凹凸が形成されて、照射された光を四方八方へ拡散するものでも良い。また、拡散シート１３５は、乳白ガラスや白色塗装面のように、透明体に屈折率の異なる微粒子を混入して、照射された光を拡散するものでも良い。
【００７１】
〔本発明の実施の形態３〕
次に、本発明の実施の形態３を図面に基づいて詳細に説明する。なお、この実施の形態３のバッジ２０１は、前述した実施の形態１のバッジ１とほぼ同様の構成であるため、異なる構成である光拡散部２６０についてのみ説明をする。なお、被覆部２２０は、全体が光を透過する透明又は半透明に形成されていることを前提に説明をする。図９は、本発明の実施の形態３のバッジ２０１の断面図である。
【００７２】
〔光拡散部２６０〕
図９に示すように、光拡散部２６０は、面発光部２３０から発光された光を拡散するための部材である。光拡散部２６０は、合成樹脂を射出成形して形成されており、被覆部２２０の外周縁を覆うように略環状に形成されている。光拡散部２６０は、発光した面発光部２３０からの光を透過するように透明又は半透明であり、その表面及び側面に光を拡散反射するための凹凸が形成されている。このように、バッジ２０１は、面発光部２３０より発光された光が、光拡散部２６０を通過することによりキラキラと拡散反射して輝く。
【００７３】
〔本発明の実施の形態４〕
次に、本発明の実施の形態４を図面に基づいて詳細に説明する。実施の形態４のバッジ３０１は、前述した実施の形態１のバッジ１に設置されていた電池残量検出部６０のかわりに、ＧＰＳ受信部３８０が設置されている。このため、バッジ３０１はバッジ１とは、制御の状態が異なるため、この点について説明する。図１０は、本発明の実施の形態４のバッジ３０１の断面図である。図１１は、バッジ３０１の使用状態を示す図である。
【００７４】
〔記憶部３４０〕
記憶部３４０は、実施の形態１の記憶部４０とほぼ同様であり、ＬＥＤ３１の発光の状態を制御する一又は複数の発光パターンを記憶する装置である。発光パターンには、ＬＥＤ３１の点灯、消灯、点滅、発光色の変更及び輝度の変更等のパターンがある。
【００７５】
発光パターンには、ＧＰＳ受信部３８０が受信した位置情報に対応して、通常パターン及び緊急パターンがある。通常パターンは、バッジ３０１を付けている使用者が安全な位置にいる状態を示すため、ＬＥＤ３１を白色に点灯させるパターンである。また、警告パターンは、バッジ３０１を付けている使用者が危険な位置にいる状態を示すため、ＬＥＤ３１を赤色に１秒間隔で点滅させるパターンである。
【００７６】
〔制御部３５０〕
制御部３５０は、ＧＰＳ受信部３８０が受信する位置情報に基づいて、ＬＥＤ３１の発光パターンの制御を行なうものであり、例えばＣＰＵ（Ｃｅｎｔｒａｌ  Ｐｒｏｃｅｓｓｉｎｇ  Ｕｎｉｔ）がこれに該当する。制御部３５０は、ＧＰＳ受信部３８０が受信する位置情報に対応した発光パターンを記憶部３４０より読み出す。
【００７７】
制御部３５０は、読み出した発光パターンに基づいて、ＬＥＤ３１に対して電力供給量、電力供給間隔、電力供給時間を変える。これにより、制御部３５０は、ＬＥＤ３１の点灯、消灯、点滅又は調光を変える。制御部３５０は、読み出した発光パターンに基づいて、ＬＥＤ３１に対して発光させる発光素子を変える。これにより、制御部３５０は、ＬＥＤ３１の発光色を制御する。
【００７８】
〔ＧＰＳ受信部３８０〕
ＧＰＳ受信部３８０は、ＧＰＳ衛星３９０から発信される信号を受け取るアンテナである。ＧＰＳ（Ｇｌｏｂａｌ  Ｐｏｓｉｔｉｏｎｉｎｇ  Ｓｙｓｔｅｍ）は、全地球測位システムと呼ばれ、ＧＰＳ衛星３９０から発信される信号を受信して、位置情報を特定するシステムである。制御部３５０は、ＧＰＳ受信部３８０を介して、ＧＰＳ衛星３９０から位置情報を受信する。
【００７９】
〔実施の形態４のバッジ３０１の使用方法〕
次に、バッジ３０１の使用方法について図１１に基づいて説明する。図１１は、バッジ３０１の使用状態を示す図である。バッジ３０１のスイッチ１６をＯＦＦからＯＮにすると、制御部３５０は、ＧＰＳ受信部３８０を介して、ＧＰＳ衛星３９０から位置情報を受信する。つまり、制御部３５０は、バッジ３０１を使用している使用者の位置情報を取得する。
【００８０】
次に、制御部３５０は、受信した位置情報に対応する発光パターンを、記憶部３４０から読み出す。例えば、使用者がＡ地域ＡＲにいる場合は、制御部３５０は、記憶部３４０から通常パターンを読み出す。また、使用者がＢ地域ＢＲにいる場合は、制御部３５０は、記憶部３４０から緊急パターンを読み出す。制御部３５０は、記憶部３４０から読み出された発光パターンに応じて、ＬＥＤ３１を発光させる。
【００８１】
制御部３５０は、通常パターンが読み出されているときは、ＬＥＤ３１に電力を安定した状態で供給しつつ、ＬＥＤ３１の赤、緑、青の発光素子を発光させる。このため、ＬＥＤ３１は、白色に点灯した状態になる。制御部３５０は、緊急パターンが読み出されているときは、ＬＥＤ３１に電力を１秒間隔で供給しつつ、ＬＥＤ３１の赤の発光素子のみを発光させる。このため、ＬＥＤ３１は、赤色に１秒間隔で点滅した状態になる。制御部３５０は、記憶部３４０から発光パターンに応じて、ＬＥＤ３１の発光を変えることができる。
【００８２】
ＬＥＤ３１が発光すると、その光は、導光シート３３３の側面に照射される。制御部３５０は、通常パターンが読み出されているときは、ＬＥＤ３１を白色に点灯する。このため、面発光部３３０は、白色に面発光し、猫の目と文字の透過部２３が白色に面発光する。また、緊急パターンが読み出されているときは、ＬＥＤ３１を赤色に１秒間隔で点滅する。このため、面発光部３３０は、赤色に１秒間隔で面発光し、猫の目と文字の透過部２３が赤色に１秒間隔で面発光する。
【００８３】
このように構成されたバッジ３０１は、面発光部３３０が発光することによって、点光源とは異なる視覚的な演出効果が生じる。また、バッジ３０１は、使用者のいる位置に応じて、異なる光が発光されるため、使用者がどのような位置にいるのか他の者が把握し易い。
【００８４】
なお、バッジ３０１は、使用者の位置に応じて、異なる光が発光されるだけでなく、異なる音声を出すようにしても良い。この場合、収納部３１０ｓには、音声を出すスピーカ部が設置され、記憶部３４０には、スピーカ部の出す音声を制御する一又は複数の音声パターンが記憶されている。前記制御部３５０は、記憶部３４０から前記音声パターンを読み出し、スピーカ部に対して読み出した音声パターンに対応する音声を出す指示を行なう。
【００８５】
〔本発明の実施の形態５〕
次に、本発明の実施の形態５を図面に基づいて詳細に説明する。なお、この実施の形態５の缶バッジ４０１は、収納部４１０ｓが区画されている金属製のものである。缶バッジ４０１は、収納部４１０ｓに前述した実施の形態１のバッジ１を取付部材１５を取り外して収納しているものである。つまり、缶バッジ４０１は、バッジ１、表面鋼板４１０及び裏面鋼板４２０から構成されている。図１２は、本発明の実施の形態５を適用した缶バッジ４０１の平面図である。図１３は、図１２をγ−γ線で切断した状態を示す断面図である。
【００８６】
〔表面鋼板４１０〕
表面鋼板４１０は、バッジ１の表面側を覆うスチール製の鋼板である。表面鋼板４１０は、図１１及び１２に示すように、環状部４１１と側面部４１２とが一体に形成されて構成されている。図１１に示すように、環状部４１１は、円形形状に切り欠かれた開口部４００ｈが形成されることで、環状に形成されている。
【００８７】
環状部４１１には、魚と魚の骨のキャラクターが記載されている。図１２に示すように、側面部４１２は略筒形状に形成されている。表面鋼板４１０は、スチール製の鋼板を打ち抜き加工により円形に打ち抜き、これを絞り加工により底の浅い円筒形状に加工した後に、穴あけ加工により開口部４００ｈを加工して製造されている。
【００８８】
〔裏面鋼板４２０〕
表面鋼板４１０は、バッジ１の裏面側を覆うスチール製の鋼板である。裏面鋼板４２０は、図１２に示すように、裏面部４２１と側面部４２２とが一体に形成されて構成されている。図示していないが、裏面部４２１は円形形状の平板であり、図１２に示すように、側面部４２２は略筒形状に形成されている。裏面鋼板４２０は、スチール製の鋼板を打ち抜き加工により円形に打ち抜き、これを絞り加工により底の浅い略円筒形状に加工して製造されている。図示していないが、裏面鋼板４２０には、取付部材１５が取り付けられている。
【００８９】
図１２に示すように、環状部４１１の内径と開口部４００ｈの外径は、被覆部２０の外径より小さく形成されている。このため、被覆部２０は、その一部が開口部４００ｈから露出するが、開口部４００ｈから取り出せない。側面部４１２の内径は、本体部１０の外径と同一になるように形成されている。側面部４１２の内径は、側面部４２２の外径と同一になるように形成されている。このため、裏面鋼板４２０は、表面鋼板４１０にはめ込むことできる。
【００９０】
表面鋼板４１０は、側面部４１２に側面部４２２をはめ込むことで、バッジ１を収納できる収納部４１０ｓが区画される。缶バッジ４０１は、金属の重厚な質感を保ちつつ、バッジ１の面発光部３０が面発光することによって、点光源とは異なる視覚的な演出効果が生じる。本例において、表面鋼板４１０と裏面鋼板４２０は、スチール製の鋼板を打ち抜いて形成されているが、他の鋼板から形成されたものでも良い。例えば、スズを鍍金したブリキ、アルミニウム等の鋼板で形成されたものでも良い。また、表面鋼板４１０は、模様が印刷されたフィルムに覆われているものでも良いし、模様が印刷された紙と透明なフィルムに覆われているものでも良い。
【００９１】
〔本発明の実施の形態６〕
次に、本発明の実施の形態６を図面に基づいて詳細に説明する。実施の形態６のバッジ５０１は、発光や発音演出を必要とするイベントが行なわれる会場等で、来場者Ｃ側で使用される演出装置である。ロッド５０２は、発光や発音演出を必要とするイベントが行なわれる会場等で、演出者Ｐ側で使用される演出装置である。バッジ５０１は、前述した実施の形態１のバッジ１に設置されていた電池残量検出部６０のかわりに、受信部５８０と受信アンテナ５６１が設置されている。
【００９２】
また、バッジ５０１は、出力装置としてＬＥＤ５３１の他にスピーカ５９１が設置されている。このため、バッジ５０１はバッジ１とは、構成や制御の状態が異なるため、この点について説明する。図１４は、バッジ５０１とロッド５０２の使用状態を示す図である。図１５は、バッジ５０１とロッド５０２のハードウェア群を示すブロック図である。図１６は、バッジ６０１と聖火６０２の使用状態を示す図である。
【００９３】
〔バッジ５０１〕
図１４に示すように、バッジ５０１は、発光や発音演出を必要とするイベントが行なわれる会場等で、来場者Ｃ側で使用される演出装置であり、演出者Ｐ側の持つロッド５０２の操作に応じて、発光や発音をする装置である。図１５に示すように、バッジ５０１は、スイッチ５１１、ＬＥＤ５３１、記憶部５４１、制御部５５１、受信アンテナ５６１、受信部５８１、スピーカ５９１及びボタン電池ＢＢを有している。
【００９４】
図１５に示すように、受信アンテナ５６１は、ロッド５０２の送信アンテナ５６２から送信された識別情報が含まれる電波を受信する無線通信装置である。受信部５８１は、受信アンテナ５６１を介して電波を受け取り、復調して識別情報を復元する装置である。スピーカ５９１は、制御部５５２からの制御に応じて電気信号を物理振動に変えて、音楽や音声などの音を発音する装置である。
【００９５】
〔記憶部５４１〕
図１５に示すように、記憶部５４１は、ＬＥＤ５３１の発光の状態とスピーカ５９１を制御する一又は複数の出力パターンを記憶する装置である。出力パターンには、ＬＥＤ５３１の点灯、消灯、点滅、発光色の変更及び輝度の変更等のパターンがある。また、出力パターンには、スピーカ５９１を発音するパターンがある。出力パターンには、受信部５８１が受信した識別情報に対応して、通常パターン、点滅パターン及び発音パターンがある。
【００９６】
通常パターンは、バッジ５０１の受信部５８１が通常情報を受信したときに、ＬＥＤ５３１を白色に点灯させるパターンである。点滅パターンは、バッジ５０１の受信部５８１が点滅情報を受信したときに、ＬＥＤ５３１を赤色に１秒間隔で点滅させるパターンである。発音パターンは、バッジ５０１の受信部５８１が発音情報を受信したときに、スピーカ５９１を発音させるパターンである。
【００９７】
〔制御部５５１〕
図１５に示すように、制御部５５１は、受信部５８１が受信する識別情報に基づいて、ＬＥＤ５３１の発光パターンやスピーカ５９１の発音パターンの制御を行なうものであり、例えばＣＰＵ（Ｃｅｎｔｒａｌ  Ｐｒｏｃｅｓｓｉｎｇ  Ｕｎｉｔ）がこれに該当する。制御部５５１は、受信部５８１が受信する識別情報に対応した出力パターンを記憶部５４１より読み出す。制御部５５１は、読み出した出力パターンに基づいて、ＬＥＤ５３１に対して電力供給量、電力供給間隔、電力供給時間を変える。
【００９８】
これにより、制御部５５１は、ＬＥＤ５３１の点灯、消灯、点滅又は調光を変える。制御部５５１は、読み出した発光パターンに基づいて、ＬＥＤ５３１に対して発光させる発光素子を変える。これにより、制御部５５１は、ＬＥＤ５３１の発光色を制御する。制御部５５１は、読み出した出力パターンに基づいて、スピーカ５９１に対して発音の制御を行なう。これにより、制御部５５１は、スピーカ５９１に対しイベントや状況に応じた発音を制御する。
【００９９】
〔ロッド５０２〕
図１４に示すように、ロッド５０２は、発光や発音演出を必要とするイベントが行なわれる会場等で、演出者Ｐ側で使用される演出装置であり、その操作に応じて、来場者Ｃが使用するバッジ５０１の発光や発音を制御する装置である。ロッド５０２は、スイッチ５１２、記憶部５４２、制御部５５２、送信アンテナ５６２、操作部５７２、送信部５８２及びボタン電池ＢＢ２を有している。本例において、ロッド５０２は、魔法の杖の形状に形成されている。
【０１００】
送信アンテナ５６２は、バッジ５０１の受信アンテナ５６１に識別情報が含まれる電波を送信する無線通信装置である。送信部５８２は、送信アンテナ５６２を介して識別情報を送信するために、高周波エネルギーに変調する装置である。操作部５７２は、バッジ５０１の制御の状態を選択するための操作装置であり、本例においては、Ａボタン、Ｂボタン及びＣボタンの３つのボタンである。
【０１０１】
〔記憶部５４２〕
図１５に示すように、記憶部５４２は、操作部５７２で押されたボタンを識別する識別情報を記憶する装置である。識別情報には、ＬＥＤ５３１の発光の状態とスピーカ５９１を制御する出力パターンに対応して、通常情報、点滅情報及び発音情報がある。通常情報は、演出者ＰがＡボタンを押したことを識別するための情報である。点滅情報は、演出者ＰがＢボタンを押したことを識別するための情報である。発音情報は、演出者ＰがＣボタンを押したことを識別するための情報である。
【０１０２】
〔制御部５５２〕
図１５に示すように、制御部５５２は、演出者Ｐの操作部５７２の操作に基づいて、記憶部５４２から識別情報を読み出して、送信部５８２を介して送信アンテナ５６２から送信する制御を行なうものであり、例えばＣＰＵ（Ｃｅｎｔｒａｌ  Ｐｒｏｃｅｓｓｉｎｇ  Ｕｎｉｔ）がこれに該当する。制御部５５１は、演出者ＰがＡボタンを押すと、通常情報を記憶部５４１より読み出し、送信部５８２で高周波エネルギーに変調し、送信アンテナ５６２から電波を送信する制御を行なう。
【０１０３】
制御部５５１は、演出者ＰがＢボタンを押すと、点滅情報を記憶部５４１より読み出し、送信部５８２で高周波エネルギーに変調し、送信アンテナ５６２から電波を送信する制御を行なう。制御部５５１は、演出者ＰがＣボタンを押すと、発音情報を記憶部５４１より読み出し、送信部５８２で高周波エネルギーに変調し、送信アンテナ５６２に電波を送信する制御を行なう。本例において、操作部５７２は、３つのボタンで説明をしたが、スイッチ、キーボード又はタッチパネル等のたの出力装置を使用しても良いことは言うまでもない。
【０１０４】
バッジ５０１とロッド５０２とは、受信アンテナ５６１と送信アンテナ５６２を通じて、無線通信により制御が行われる。バッジ５０１とロッド５０２の無線通信の規格は、既存の通信規格であればどのような規格を使用しても良い。例えば、バッジ５０１とロッド５０２とは、電波による無線通信の規格であるＷｉＦｉ（登録商標）やＢｌｕｅｔｏｏｔｈ（登録商標）を使用して制御を行っても良い。また、バッジ５０１とロッド５０２とは、赤外線による赤外線通信を使用して制御を行っても良い。
【０１０５】
〔実施の形態６のバッジ５０１の使用方法〕
次に、バッジ５０１及びロッド５０２の使用方法について図１４に基づいて説明する。バッジ５０１は、スイッチ５１１をＯＦＦからＯＮにすると、ロッド５０２からの識別情報を受信可能になる。ロッド５０２は、スイッチ５１２をＯＦＦからＯＮにすると、バッジ５０１に対して識別情報を送信可能になる。演出者Ｐが、ロッド５０２の操作部５７２を操作すると、制御部５５２は、記憶部５４２から識別情報を読み出す。
【０１０６】
制御部５５２は、記憶部５４２から読み出した識別情報を送信部５８２で高周波エネルギーに変調して、送信アンテナ５６２から電波を送信する。バッジ５０１の受信アンテナ５６１が、ロッド５０２より送信された電波を受信すると、受信部５８１は、受け取った電波を復調して識別情報を復元する。制御部５５１は、受信部５８１を介してロッド５０２より送信された識別情報を取得する。
【０１０７】
つまり、制御部５５１は、ロッド５０２を使用している演出者Ｐが操作した操作ボタンに応じた識別情報を取得する。制御部５５１は、取得した識別情報に対応する出力パターンを、記憶部５４１から読み出す。制御部５５１は、記憶部５４１から読み出された出力パターンに応じて、ＬＥＤ５３１を発光させ、スピーカ５９１を発音させる。
【０１０８】
例えば、演出者Ｐが操作部５７２のＡボタンを押した場合は、制御部５５２は、記憶部５４２から識別情報として通常情報を読み出す。制御部５５２は、記憶部５４２から読み出した通常情報を送信部５８２で高周波エネルギーに変調して、送信アンテナ５６２から電波を送信する。バッジ５０１の受信アンテナ５６１が、ロッド５０２より送信された電波を受信すると、受信部５８１は、受け取った電波を復調して通常情報を復元する。
【０１０９】
制御部５５１は、受信部５８１を介してロッド５０２より送信された通常情報を取得する。制御部５５１は、取得した通常情報に対応する通常パターンを、記憶部５４１から読み出す。制御部５５１は、通常パターンが読み出されているときは、ＬＥＤ５３１に電力を安定した状態で供給しつつ、ＬＥＤ５３１の赤、緑、青の発光素子を発光させる。このため、ＬＥＤ５３１は、白色に点灯した状態になる。
【０１１０】
ＬＥＤ５３１が発光すると、その光は、導光シートの側面に照射される。制御部５５１は、通常パターンが読み出されているときは、ＬＥＤ５３１を白色に点灯する。このため、面発光部５３０は、白色に面発光し、猫の目と文字の透過部が白色に面発光する。
【０１１１】
例えば、演出者Ｐが操作部５７２のＢボタンを押した場合は、制御部５５２は、記憶部５４２から識別情報として点滅情報を読み出す。制御部５５２は、記憶部５４２から読み出した点滅情報を送信部５８２で高周波エネルギーに変調して、送信アンテナ５６２から電波を送信する。バッジ５０１の受信アンテナ５６１が、ロッド５０２より送信された電波を受信すると、受信部５８１は、受け取った電波を復調して点滅情報を復元する。
【０１１２】
制御部５５１は、受信部５８１を介してロッド５０２より送信された点滅情報を取得する。制御部５５１は、取得した点滅情報に対応する点滅パターンを、記憶部５４１から読み出す。制御部５５１は、点滅パターンが読み出されているときは、ＬＥＤ５３１に電力を１秒間隔で供給しつつ、ＬＥＤ５３１の赤の発光素子を発光させる。このため、ＬＥＤ５３１は、赤色に１秒間隔で点滅した状態になる。
【０１１３】
ＬＥＤ５３１が発光すると、その光は、導光シートの側面に照射される。制御部５５１は、点滅パターンが読み出されているときは、ＬＥＤ５３１を赤色に１秒間隔で点滅する。このため、面発光部５３０は、赤色に１秒間隔で面発光し、猫の目と文字の透過部が赤色に１秒間隔で面発光する。
【０１１４】
例えば、演出者Ｐが操作部５７２のＣボタンを押した場合は、制御部５５２は、記憶部５４２から識別情報として発音情報を読み出す。制御部５５２は、記憶部５４２から読み出した発音情報を送信部５８２で高周波エネルギーに変調して、送信アンテナ５６２から電波を送信する。バッジ５０１の受信アンテナ５６１が、ロッド５０２より送信された電波を受信すると、受信部５８１は、受け取った電波を復調して発音情報を復元する。
【０１１５】
制御部５５１は、受信部５８１を介してロッド５０２より送信された発音情報を取得する。制御部５５１は、取得した発音情報に対応する発音パターンを、記憶部５４１から読み出す。制御部５５１は、発音パターンが読み出されているときは、スピーカ５９１に電力を供給しつつ、電気信号を物理振動に変えて、音楽や音声を発音させる。このため、スピーカ５９１は、発音パターンに応じた発音状態になる。
【０１１６】
このように構成されたバッジ５０１は、面発光部５３０が発光することによって、点光源とは異なる視覚的な演出効果が生じる。またバッジ５０１は、スピーカ５９１が発音することによって、実施の形態１のバッジ１とは異なる演出効果が生じる。演出者Ｐは、来場者Ｃのバッジ５０１の発光を自由に制御できる。演出者Ｐは、来場者Ｃのバッジ５０１の発光の色、点滅及び点灯等を切り替えることができ、イベントに連動した光の演出が会場の臨場感を盛り上げることができる。
【０１１７】
演出者Ｐは、自由に来場者Ｃのバッジ５０１の発音を自由に制御できる。演出者Ｐは、来場者Ｃのバッジ５０１から発音される音、音楽及び声等を切り替えることができ、イベントに連動した音の演出が会場の臨場感を盛り上げることができる。演出者Ｐは、意図する来場者のバッジ５０１のみに発光や発音を制御して、来場者Ｃに対して一体感を感じさせる演出ができる。なお、本例において、バッジ５０１は、発光の制御と発音の制御が別々に行なわれているが、発光の制御と共に発音の制御を行なっても良いことは言うまでもない。
【０１１８】
本例において、バッジ５０１とロッド５０２とは、直接電波の送受信を行なっているが、基地局を介して行なっても良いことはいうまでもない。また、本例において、バッジ５０１は、識別情報の受信のみを行い、ロッド５０２は、識別情報の送信のみを行なうように構成されている。しかし、バッジ５０１とロッド５０２との間で、識別情報やその他の情報を送受信するように構成しても良いことはいうまでもない。
【０１１９】
本例においてはイベント会場において、ロッド５０２は、演出者Ｐのボタン操作で、バッジ５０１の制御を行なっているが、ロッド５０２にプログラムを記録して、それに応じてバッジを制御しても良い。例えば、図１６に示すように、競技場等で行なわれるイベントにおいて、聖火６０２から常に電波を発生させて、その電波の届く範囲のバッジ６０１の発光の制御と発音の制御を行なっても良い。
〔本発明の実施の形態７〕
次に、本発明の実施の形態７を図面に基づいて詳細に説明する。実施の形態７のバッジ７０１は、前述した実施の形態１に設置されていた電池残量検出部６０のかわりに、音声認識部７８１が設置されている。このため、バッジ１とは、制御の状態が異なるため、この点について説明する。図１７は、バッジ７０１の使用状態を示す図である。図１８は、バッジ７０１のハードウェア群を示すブロック図である。
【０１２０】
〔バッジ７０１〕
図１７に示すように、バッジ７０１は、発光や発音演出を必要とするイベントが行なわれる会場等で、来場者Ｃ側で使用される演出装置であり、演出者Ｐが行なう演奏の音声に応じて、発光や発音をする装置である。図１８に示すように、バッジ７０１は、スイッチ７１１、ＬＥＤ７３１、記憶部７４１、制御部７５１、マイク７６１、音声認識部７８１、スピーカ７９１及びボタン電池ＢＢを有している。
【０１２１】
マイク７６１は、演出者が演奏した音声をダイヤフラム等で受け止め、これを電気信号に変換するマイクロフォン装置である。スピーカ７９１は、制御部７５１からの制御に応じて電気信号を物理振動に変えて、音楽や音声などの音を発音する装置である。
【０１２２】
〔音声認識部７８１〕
音声認識部７８１は、マイク７６１を介して電気信号を受け取って、音声情報を特定する装置である。音声情報には、演出者Ｐの演奏した音声に対応して、通常情報、点滅情報及び発音情報がある。通常情報は、音声認識部７８１が、演出者Ｐの演奏した音声は「ドレミ」であると特定したことを示す情報である。点滅情報は、音声認識部７８１が、演出者Ｐが演奏した音声が「ミファソ」であるとを特定したことを示す情報である。発音情報は、音声認識部７８１が、演出者Ｐが演奏した音声が「ラシド」であると特定したことを示す情報である。
【０１２３】
〔記憶部７４１〕
図１８に示すように、記憶部７４１は、ＬＥＤ７３１の発光の状態とスピーカ７９１を制御する一又は複数の出力パターンを記憶する装置である。出力パターンには、ＬＥＤ７３１の点灯、消灯、点滅、発光色の変更及び輝度の変更等のパターンがある。また、出力パターンには、スピーカ７９１を発音するパターンがある。
【０１２４】
出力パターンには、音声認識部７８１が受信した音声情報に対応して、通常パターン、点滅パターン及び発音パターンがある。通常パターンは、バッジ７０１の音声認識部７８１が通常情報を特定したときに、ＬＥＤ７３１を白色に点灯させるパターンである。点滅パターンは、バッジ７０１の音声認識部７８１が点滅情報を特定したときに、ＬＥＤ７３１を赤色に１秒間隔で点滅させるパターンである。発音パターンは、バッジ７０１の音声認識部７８１が発音情報を受信したときに、スピーカ７９１を発音させるパターンである。
【０１２５】
〔制御部７５１〕
図１８に示すように、制御部７５１は、音声認識部７８１が特定する音声情報に基づいて、ＬＥＤ７３１の発光パターンやスピーカ７９１の発音パターンの制御を行なうものであり、例えばＣＰＵ（Ｃｅｎｔｒａｌ  Ｐｒｏｃｅｓｓｉｎｇ  Ｕｎｉｔ）がこれに該当する。制御部７５１は、音声認識部７８１が特定する音声情報に対応した出力パターンを記憶部７４１より読み出す。
【０１２６】
制御部７５１は、読み出した出力パターンに基づいて、ＬＥＤ７３１に対して電力供給量、電力供給間隔、電力供給時間を変える。これにより、制御部７５１は、ＬＥＤ７３１の点灯、消灯、点滅又は調光を変える。制御部７５１は、読み出した発光パターンに基づいて、ＬＥＤ７３１に対して発光させる発光素子を変える。これにより、制御部７５１は、ＬＥＤ７３１の発光色を制御する。制御部７５１は、読み出した出力パターンに基づいて、スピーカ７９１に対して発音の制御を行なう。これにより、制御部７５１は、スピーカ７９１に対しイベントや状況に応じた発音を制御する。
【０１２７】
〔実施の形態７のバッジ７０１の使用方法〕
次に、バッジ７０１の使用方法について図１８に基づいて説明する。バッジ７０１は、スイッチ７１１をＯＦＦからＯＮにすると、音声情報が特定可能になる。演出者Ｐが、演奏を開始すると、バッジ７０１のマイク７６１は、音声を電気信号に変換する。
【０１２８】
バッジ７０１の音声認識部７８１は、マイク７６１より受け取った電気信号を、解析して音声情報を特定する。制御部７５１は、音声認識部７８１で特定された音声情報に対応する出力パターンがある場合には、その出力パターンを記憶部７４１から読み出す。制御部７５１は、記憶部７４１から読み出された出力パターンに応じて、ＬＥＤ７３１を発光させ、スピーカ７９１を発音させる。
【０１２９】
例えば、演出者Ｐが「ドレミ」の音声を演奏した場合は、音声認識部７８１は通常情報であると特定し、制御部７５２は記憶部７４２から対応する通常パターンを読み出す。制御部７５１は、通常パターンが読み出されているときは、ＬＥＤ７３１に電力を安定した状態で供給しつつ、ＬＥＤ７３１の赤、緑、青の発光素子を発光させる。このため、ＬＥＤ７３１は、白色に点灯した状態になる。
【０１３０】
ＬＥＤ７３１が発光すると、その光は、導光シートの側面に照射される。制御部７５１は、通常パターンが読み出されているときは、ＬＥＤ７３１を白色に点灯する。このため、面発光部は、白色に面発光し、猫の目と文字の透過部が白色に面発光する。
【０１３１】
例えば、演出者Ｐが「ミファソ」の音声を演奏した場合は、音声認識部７８１は点滅情報であると特定し、制御部７５２は記憶部７４２から対応する点滅パターンを読み出す。制御部７５１は、点滅パターンが読み出されているときは、ＬＥＤ７３１に電力を１秒間隔で供給しつつ、ＬＥＤ５３１の赤の発光素子を発光させる。このため、ＬＥＤ７３１は、赤色に１秒間隔で点滅した状態になる。
【０１３２】
ＬＥＤ７３１が発光すると、その光は、導光シートの側面に照射される。制御部７５１は、点滅パターンが読み出されているときは、ＬＥＤ７３１を赤色に１秒間隔で点滅する。このため、面発光部は、赤色に１秒間隔で面発光し、猫の目と文字の透過部が赤色に１秒間隔で面発光する。
【０１３３】
例えば、演出者Ｐが「ラシド」の音声を演奏した場合は、音声認識部７８１は発音情報であると特定し、制御部７５２は記憶部７４２から対応する発音パターンを読み出す。制御部７５１は、発音パターンが読み出されているときは、スピーカ７９１に電力を供給しつつ、電気信号を物理振動に変えて、音楽や音声を発音させる。このため、スピーカ７９１は、発音パターンに応じた発音状態になる。
【０１３４】
〔本発明の実施の形態８〕
次に、本発明の実施の形態８を図面に基づいて詳細に説明する。実施の形態８のバッジ８０１は、前述した実施の形態６のバッジ５０１に設置されていた受信アンテナ５６１のかわりに、受電アンテナ８６１が設置されている。また、バッジ８０１は、バッジ６０１のようにスイッチ５１１とボタン電池ＢＢ１が設置されていない。さらに、実施の形態８のロッド８０２は、前述した実施の形態６のロッド５０２に設置されていた送信アンテナ５６２のかわりに、送電アンテナ８６２が設置されている。
【０１３５】
このため、バッジ８０１は、バッジ６０１とは、制御の状態が異なるため、この点について説明する。図１９は、バッジ８０１とロッド８０２の使用状態を示す図である。図２０は、バッジ８０１とロッド８０２のハードウェア群を示すブロック図である。
【０１３６】
〔バッジ８０１〕
図１９に示すように、バッジ８０１は、発光や発音演出を必要とするイベントが行なわれる会場等で、来場者Ｃ側で使用される演出装置であり、演出者Ｐ側の持つロッド８０２の操作に応じて、発光や発音をする装置である。図２０に示すように、バッジ８０１は、ＬＥＤ８３１、記憶部８４１、制御部８５１、受電アンテナ８６１、受信部８８１及びスピーカ８９１を有している。
【０１３７】
図２０に示すように、受電アンテナ８６１は、ロッド８０２の送電アンテナ８６２から送信された識別情報が含まれる電波を受信する非接触通信装置である。受電アンテナ８６１は、非接触給電により送電アンテナ８６２から電力を受けるため、所定の巻数だけ螺旋状又は渦巻き状に巻かれるように形成されている受電コイルが取り付けられている。
【０１３８】
受電コイルは、非接触給電により電力を受電するように構成されたコイルである。受電コイルは、ロッド８０２に設けられたボタン電池ＢＢ２から電力を受けて送電を行う送電コイルに接近又は接触すると受電する。受電コイルは、送電コイルから発生している磁界を通過することで磁気を受けて電流が発生する。受電コイルは、受電アンテナ８６１に金属（例えば、銀）を蒸着させ、それを切り取って、渦巻き状に形成している。
【０１３９】
なお、受電コイルは、受電アンテナ８６１に初めから渦巻き状に蒸着させても良い。また、受電コイルは、巻線工法、印刷工法又はエッチング工法等の他の工法により受電アンテナ８６１に形成しても良い。さらに、受電コイルは、超音波で受電アンテナ８６１に直接埋め込んでも良い。受信部８８１は、受電アンテナ８６１を介して電波を受け取り、復調して識別情報を復元する装置である。本発明の実施の形態８の記憶部８４１、制御部８５１、操作部８７１及び受信部８８１は、本発明の実施の形態６の記憶部５４１、制御部５５１、操作部５７１及び受信部５８１とほぼ同様であるため、詳細な説明は省略する。
【０１４０】
〔ロッド８０２〕
図１９に示すように、ロッド８０２は、発光や発音演出を必要とするイベントが行なわれる会場等で、演出者Ｐ側で使用される演出装置であり、その操作に応じて、来場者Ｃが使用するバッジ８０１の発光や発音を制御する装置である。ロッド８０２は、スイッチ８１２、記憶部８４２、制御部８５２、送電アンテナ８６２、操作部８７２、送信部８８２及びボタン電池ＢＢ２を有している。本例において、ロッド８０２は、魔法の杖の形状に形成されている。
【０１４１】
送電アンテナ８６２は、バッジ８０１の受電アンテナ８６１に識別情報が含まれる電波を送信する非接触通信装置である。また、送電アンテナ８６２は、非接触給電により受電アンテナ８６１に電力を供給するために、所定の巻数だけ螺旋状又は渦巻き状に巻かれるように形成されている送電コイルが取り付けられている。
【０１４２】
送電コイルは、非接触給電により電力を送電するように構成されたコイルである。送電コイルは、ロッド８０２に設けられたボタン電池ＢＢ２から電力を受けて磁界を発生させる。送電コイルは、送電アンテナ８６２に金属（例えば、銀）を蒸着させ、それを切り取って、渦巻き状に形成している。なお、送電コイルは、送電アンテナ８６２に初めから渦巻き状に蒸着させても良い。
【０１４３】
また、送電コイルは、巻線工法、印刷工法又はエッチング工法等の他の工法により送電アンテナ８６２に形成しても良い。さらに、送電コイルは、超音波で送電アンテナ８６２に直接埋め込んでも良い。本発明の実施の形態８のスイッチ８１２、記憶部８４２、制御部８５２、操作部８７２、送信部８８２及びボタン電池ＢＢ２は、本発明の実施の形態８のスイッチ８１２、記憶部８４２、制御部８５２、操作部８７２、送信部８８２及びボタン電池ＢＢ２は、本発明の実施の形態６のスイッチ５１２、記憶部５４２、制御部５５２、操作部５７２、送信部５８２及びボタン電池ＢＢ２とほぼ同様であるため、詳細な説明は省略する。
【０１４４】
〔バッジ８０１とロッド８０２の使用方法〕
次に、バッジ８０１とロッド８０２の使用方法について図１９に基づいて説明する。バッジ８０１は、ロッド８０２に取り付けられた送電コイルに発生している交流磁界を利用して、接触又は非接触で電磁誘導現象によって発光する。つまり、詳しく説明すると、ロッド８０２は、電源をＯＦＦからＯＮにして、操作部８７２のいずれかのボタンを押すことで、送電コイルに電力が供給され送電アンテナ８６２に交流磁界が発生する。
【０１４５】
ロッド８０２は、送電アンテナに交流磁界が発生することで、バッジ８０１に対して識別情報を送信可能になる。ロッド８０２をバッジ８０１に近づけると、送電アンテナ８６２に発生した交流磁界が受電コイルに近づき、受電コイルに交流電圧が発生する。この交流電圧は、受信部８８１で直流に変換された後に、バッジ８０１の記憶部８４１、制御部８５１、ＬＥＤ８３１及びスピーカ８９１に供給される。
【０１４６】
バッジ８０１は、このように発生した電流を利用することで、制御部８５１が起動し、ロッド８０２と交信し、識別情報の受信が可能になる。バッジ８０１は、受信した識別情報に応じて、発光や発音の制御を変えることができる。バッジ８０１の制御については、実施の形態５のバッジ５０１の制御とほぼ同様であるため、詳細な説明は省略する。実施の形態８のバッジ８０１は、実施の形態５のバッジ５０１と比較して、スイッチ５１１やボタン電池ＢＢ１が不要なため、小型化及び軽量化が可能である。
【０１４７】
〔本発明の実施の形態９〕
次に、本発明の実施の形態２１を図面に基づいて詳細に説明する。実施の形態９のバッジ９０１は、前述した実施の形態１に設置されていたエッジライト方式の面発光部３０のかわりに、直下型方式の面発光部９３０が設置されている。また、バッジ９０１は、バッジ１と比較して、遮光シート９３７と交換模様シート９８０が設置されている。
【０１４８】
被覆部９２０は、面発光部９３０、遮光シート９３７、交換模様シート９８０を覆う部材であり、本体部９１０に対して着脱自在に取り付けられている。被覆部９２０は、９８０の模様が見えるように全部又は一部が光を透過する透明又は半透明に形成されている。被覆部９２０は、模様が施されていない点を除けば、実施の形態１の被覆部２０とほぼ同様であるため、詳細な説明は省略する。
【０１４９】
〔面発光部９３０〕
図２１は、本発明の実施の形態９のバッジ９０１を分解した状態を示す外観図である。図２１に示すように、面発光部９３０は、いわゆる直下方式の発光装置であり、ＬＥＤ９３１、基板９３２及び導光シート９３３とから構成されている。面発光部９３０は、図２１に示すように、上から導光シート９３３、基板９３２の順番に積層されている。本例の面発光部９３０は、表面側は発光するが、裏面側は発光しない片面発光型である。
【０１５０】
図２１に示すように、ＬＥＤ９３１は、面発光部９３０の光源であり、円板状に形成された基板９３２の表面の略中央に１つ取り付けられている。基板９３２は、導光シート９３３の裏面側に取り付けられている。ＬＥＤ９３１は、導光シート９３３の裏面と向かいあうように基板９３２に取り付けられている。図２１に示すように、導光シート９３３は、その裏面に設置されたＬＥＤ９３１から発光された光を被覆部９２０側へ照射するためのシートである。導光シート９３３は、裏面から発光された光を均一に行き渡らせ、平面光源化するシートである。
【０１５１】
導光シート９３３の裏面には、導光シート９３３を平面光源化するためのドットパターンが形成されている。ドットパターンは、ＬＥＤ９３１から照射された光を被覆部９２０側に反射して、導光シート９３３を平面光源化するパターンである。ドットパターンは、実施の形態１の導光シート３３に形成されているドットパターンとほぼ同様であるため、詳細な説明は省略する。
【０１５２】
〔遮光シート９３７〕
遮光シート９３７は、導光シート９３３から照射される光の均一性を向上させるためのシートである。遮光シート９３７は、透明又は半透明なポリエステルフィルム等から形成されており、光を遮る第一遮光部９７１、第二遮光部９７２、第三遮光部９７３及び第四遮光部９７４が印刷されている。第一遮光部９７１は、ＬＥＤ９３１の位置に合わせて遮光シート９３７の略中央に一つ形成されている。第一遮光部９７１は、光を遮る白色の遮光部材であり、円形形状に形成されている。
【０１５３】
第二遮光部９７２は、第一遮光部９７１の外周を沿うように複数形成されている。第二遮光部９７２は、光を遮る白色の遮光部材であり、第一遮光部９７１より小径の円形形状に形成されている。第三遮光部９７３は、第二遮光部９７２の外側を沿うように形成されている。第三遮光部９７３は、光を遮る白色の遮光部材であり、第二遮光部９７２より小径の円形形状に形成されている。第四遮光部９７４は、第三遮光部９７３の外側を沿うように形成されている。
【０１５４】
第四遮光部９７４は、光を遮る白色の遮光部材であり、第三遮光部９７３より小径の円形形状に形成されている。遮光シート９３７は、第一遮光部９７１、第二遮光部９７２、第三遮光部９７３及び第四遮光部９７４が徐々に小径になるように設置されている。つまり、遮光シート９３７は、光源であるＬＥＤ９３１に近い部分ほど遮光される面積が広く、外側に向かうにつれて遮光される面積が狭くなる。
【０１５５】
このため、バッジ９０１は、ＬＥＤ９３１の設置された中央部分のみが明るくならず、均一に面発光する。本例では、ＬＥＤ９３１を基板９３２の略中央に一個のみ配設しているが、これに限られるものではなくＬＥＤ９３１を複数設置しても良いし、ＬＥＤ９３１は、導光シート９３３の直下であれば任意の位置に設置することができる。遮光シート９３７は、被覆部９２０と基板９３２の間であればどこに設置されても良く、導光シート９３３と基板９３２の間にあっても良い。
【０１５６】
〔交換模様シート９８０〕
交換模様シート９８０は、バッジ９０１の模様が施された部材であり、本体部９１０に対して着脱自在なシートである。図２１に示すように、交換模様シート９８０は、塩化ビニル樹脂を射出成形で形成されている。交換模様シート９８０は、円形形状の薄い平板であり、表面に絵画、写真、図形、記号、文字及びキャラクターその他の模様が印刷されている。
【０１５７】
図２１に示すように、交換模様シート９８０は、模様が記載されており、その模様に応じて、透過部９２３と非透過部９２４とが形成されている。透過部９２３と非透過部９２４は、実施の形態１の透過部２３と非透過部２４とほぼ同様であるため、詳細な説明は省略する。交換模様シート９８０は、着脱自在であり交換可能であるため、様々な模様を用意することで、自由に選択することができ、長い間飽きがこない。なお、交換模様シート９８０は、塩化ビニル樹脂に限らず、ポリプロピレン、ＡＢＳ等の他の合成樹脂で形成されていても良い。
【０１５８】
以上、本発明の種々の実施の形態を説明したが、本発明は、この実施の形態に限定されることはない。本発明の目的、趣旨を逸脱しない範囲内での変更が可能なことはいうまでもない。本実施の形態において、ドットパターンは、ドット３５と接続部３６をシルク印刷により印刷することにより形成されている。しかし、蛍光インキに限らず、発光インキ及び蓄光インキを印刷して形成しても良いことは言うまでもない。
【０１５９】
また、例えば、ドット３５は、ＬＥＤ３１から近い箇所では疎らに設置し、ＬＥＤ３１から遠い箇所では密に設置しても良い。このようにドット３５が設置されていることにより、導光シート３３には光が効率良く均一に行き渡り、導光シート３３が平面光源化する。導光シート３３に設置されるドット３５の径は、例えば、ＬＥＤ３１から近い部分では小さくし、遠い部分では大きくしても良い。
【０１６０】
導光シート３３に形成するドットパターンは、公知の他の方式で形成されていても良い。例えば、導光シート３３の裏面にスタンパーやインジェクションで凹凸をつける成形方式でも良い。また、導光シート３３と反射シート３４をドット状の粘着剤で貼り付けた粘着ドット方式等の方式で形成されていても良い。被覆部２０に現わされた模様や記載された説明等は、公知のいかなる印刷方法で印刷されたものでも良い。例えば、グラビア輪転印刷機、オフセット輪転印刷機等によって印刷されていると良い。
【０１６１】
ＬＥＤ３１乃至ＬＥＤ９３１は、可視光を発光する発光ダイオードで説明を行なったが、人の目でほとんど見えない不可視光を発光する他の不可視光照明で構成しても良い。例えば、人の目でほとんど見えない紫外線を発光する紫外線ＬＥＤや赤外線を発光する赤外線ＬＥＤ等で構成しても良い。また、被覆部２０や交換模様シート９８０に施される模様は、不可視光が照射されると発光する不可視光インキで印刷されても良い。
【０１６２】
例えば、模様は、紫外線が照射されると蛍光に発光するインキや、赤外線が照射されると発光するインキで印刷されていても良い。このように、模様が不可視光インキで記載又は現わされると、不可視光照明を点灯すると模様が見えるようになり消灯すると模様が見えなくなる。本発明によれば、模様が見えたり見えなくなることにより、演出による新たな興趣が生じる。
【０１６３】
被覆部２０や交換模様シート９８０に形成される模様は、印刷に限らずそれらの表面を、レーザー彫刻等により彫刻を施すことで、模様を形成しても良い。また、同様に被覆部２０や交換模様シート９８０の表面を、化学薬品などの腐食作用を利用し表面加工を施すことで、模様を形成しても良い。
【０１６４】
また、被覆部２０や交換模様シート９８０の模様は、見る角度によって絵柄が変化したり、立体感が得られたりする印刷物のことであるシート状のレンチキュラーレンズを用いて形成されても良い。本発明の実施の形態９の交換模様シート９８０は、着脱自在なシートであるが、被覆部９２０に貼ることができるシール、ステッカー、ラベル、及びデカールであっても良い。
【０１６５】
実施の形態５の缶バッジ４０１は、実施の形態１のバッジ１を収納している。しかし、これに限らず、実施の形態２、３及び４のバッジ１０１、２０１、３０１を収納しても良い。取付部材１５は、衣服に取り付けるため安全ピン等のピンが良いが、金属に取り付けるのであれば磁石でも良い。また、本例においては、合成樹脂製のバッジやそれを使用した缶バッジについて説明をした。しかし、面発光部が取り付けられる合成樹脂製の玩具であれば、他の玩具でも良く、例えば、メダル、キーホルダー等でも良い。
【符号の説明】
【０１６６】
１        ：バッジ
１０      ：本体部
１１      ：台部
１２      ：平板部
１３      ：縁部
１４      ：電池収納部
１５      ：取付部材
１６      ：スイッチ
２０      ：被覆部
２１      ：表面部
２２      ：側面部
２３      ：透過部
２４      ：非透過部
３０      ：面発光部
３１      ：ＬＥＤ
３２      ：基板
３３      ：導光シート
３４      ：反射シート
３５      ：ドット
３６      ：接続部
４０      ：記憶部
５０      ：制御部
６０      ：電池残量検出部
１０１    ：バッジ
１３０    ：面発光部
１３３    ：導光シート
１３４    ：反射シート
１３５    ：拡散シート
１３６    ：集光シート
２０１    ：バッジ
２２０    ：被覆部
２３０    ：面発光部
２６０    ：光拡散部
３０１    ：バッジ
３３０    ：面発光部
３３３    ：導光シート
３４０    ：記憶部
３５０    ：制御部
３８０    ：ＧＰＳ受信部
３９０    ：ＧＰＳ衛星
４０１    ：缶バッジ
４１０    ：表面鋼板
４１１    ：環状部
４１２    ：側面部
４２０    ：裏面鋼板
４２１    ：裏面部
４２２    ：側面部
５０１    ：バッジ
５０２    ：ロッド
５１１    ：スイッチ
５１２    ：スイッチ
５３０    ：面発光部
５３１    ：ＬＥＤ
５４１    ：記憶部
５４２    ：記憶部
５５１    ：制御部
５５２    ：制御部
５６１    ：受信アンテナ
５６２    ：送信アンテナ
５７１    ：操作部
５７２    ：操作部
５８０    ：受信部
５８１    ：受信部
５８２    ：送信部
５９１    ：スピーカ
６０１    ：バッジ
６０２    ：聖火
７０１    ：バッジ
７１１    ：スイッチ
７３１    ：ＬＥＤ
７４１    ：記憶部
７４２    ：記憶部
７５１    ：制御部
７５２    ：制御部
７６１    ：マイク
７８１    ：音声認識部
７９１    ：スピーカ
８０１    ：バッジ
８０２    ：ロッド
８１２    ：スイッチ
８３１    ：ＬＥＤ
８４１    ：記憶部
８４２    ：記憶部
８５１    ：制御部
８５２    ：制御部
８６１    ：受電アンテナ
８６２    ：送電アンテナ
８７１    ：操作部
８７２    ：操作部
８８１    ：受信部
８８２    ：送信部
８９１    ：スピーカ
９０１    ：バッジ
９１０    ：本体部
９２０    ：被覆部
９２３    ：透過部
９２４    ：非透過部
９３０    ：面発光部
９３１    ：ＬＥＤ
９３２    ：基板
９３３    ：導光シート
９３７    ：遮光シート
９７１    ：第一遮光部
９７２    ：第二遮光部
９７３    ：第三遮光部
９７４    ：第四遮光部
９８０    ：交換模様シート
【図１】
2016123867.tif 000003
【図２】
2016123867.tif 000004
【図３】
2016123867.tif 000005
【図４】
2016123867.tif 000006
【図５】
2016123867.tif 000007
【図６】
2016123867.tif 000008
【図８】
2016123867.tif 000009
【図９】
2016123867.tif 000010
【図１０】
2016123867.tif 000011
【図１１】
2016123867.tif 000012
【図１２】
2016123867.tif 000013
【図１３】
2016123867.tif 000014
【図１４】
2016123867.tif 000015
【図１５】
2016123867.tif 000016
【図１６】
2016123867.tif 000017
【図１７】
2016123867.tif 000018
【図１８】
2016123867.tif 000019
【図１９】
2016123867.tif 000020
【図２０】
2016123867.tif 000021
【図２１】
2016123867.tif 000022
【図７】
2016123867.tif 000023